(57)【特許請求の範囲】
【請求項１】
リール本体に回転可能に支持したスプールと、
リール本体に装着したスプールモータと、
リール本体の側板に回転可能に装着され、スプールモータのモータ出力を増減調節するモータ出力調節体と、
上記スプールモータまたはリール本体に別途装着したクラッチモータとスプールとの間に装着され、当該スプールモータまたはクラッチモータの駆動で、スプールへのスプールモータの動力伝達をＯＮとするクラッチＯＮ状態とＯＦＦとするクラッチＯＦＦ状態に切り換わって、スプールを巻取り可能状態とスプールフリー状態とに切り換える電動クラッチ機構と、
リール本体に装着され、上記モータ出力調節体の回転操作でスプールモータを駆動制御すると共に、リール本体に装着したクラッチ切換操作手段の操作で電動クラッチ機構をクラッチＯＮ／ＯＦＦ状態に切換制御する制御手段と、
を備えた魚釣用電動リールに於て、
上記制御手段を、スイッチ操作または釣糸繰出し状態検出により実釣モードと糸送りモードとに切換え設定可能とし、
上記電動クラッチ機構のクラッチＯＦＦ状態の糸送りモード設定時に、上記クラッチ切換操作手段の操作で電動クラッチ機構がクラッチＯＮ状態に復帰しないように制御手段の切換制御を停止し、スプールモータのモータ出力の駆動制御機能のみが維持されるようにしたことを特徴とする魚釣用電動リール。
【発明の詳細な説明】
【０００１】
【発明の属する技術分野】
本発明は、リール本体に装着したスプールモータでスプールを回転させて釣糸の巻取りを行う魚釣用電動リールに関する。
【０００２】
【従来の技術】
船釣り等、一般に深場の魚層を対象とした魚釣りを行う場合、魚釣用電動リールが広く用いられている。
従来周知のようにこの魚釣用電動リール（以下、「電動リール」という）は、リール本体に装着したスプールモータでスプールを回転させて釣糸の巻取りを行うもので、特開平１１−３３２４３８号公報に開示されるように昨今では、釣場の状況に応じて多種多様な巻取り操作が行えるように、モータ出力をＯＦＦ状態から最大値（０〜１００％）まで連続的に増減させるパワーレバー（モータ出力調節体）をリール本体に回転可能に装着した電動リールが知られている。
【０００３】
そして、上記公報に開示された電動リールは、パワーレバーに電動クラッチ機構を釣糸巻取り状態と釣糸繰出し状態に切り換えるクラッチ切換操作手段としての機能を持たせて、単一のパワーレバーの操作でモータ出力の調節とクラッチの切換えを可能としたもので、図８に示すようにパワーレバーによって仕掛けの繰出し，停止，巻取りという一連の連続した操作を迅速且つ容易に行うことができるようになっている。
【０００４】
即ち、図８中、１は点Ｓ〜点Ｐの範囲に亘ってリール本体の側板に回転可能に装着されたパワーレバーで、当該パワーレバー１は点Ｑ〜点Ｐの範囲をモータ出力の調節範囲として、点Ｑをモータ出力のＯＦＦ状態、点Ｐをスプールモータのモータ出力最大点（モータ出力１００％）とすると共に、その当初の回転範囲である点Ｓ〜点Ｑの範囲を電動クラッチ機構の切換範囲としたもので、点ＳでクラッチＯＦＦ、そして、点Ｓの位置からパワーレバー１を点Ｑの位置に回転操作すると、リール本体に装着した電動クラッチ機構がクラッチＯＮに切り換わるようになっている。
【０００５】
従って、釣人は点Ｓから点Ｐ方向へパワーレバー１を回転操作することで、仕掛けの繰出し，停止，巻取りという一連の連続した操作を迅速に行うことが可能となる。
【０００６】
【発明が解決しようとする課題】
ところで、従来、幅広い状況変化の対応が要求される釣法として、錘によらずに仕掛けをポイントへ繰り出す「フカセ釣り」が知られており、この「フカセ釣り」に対応すべく電動リールにあっては、クラッチＯＦＦ時にスプールモータを駆動させてスプールに釣糸繰出し方向への力を作用させることで、スプールフリー回転時の回転抵抗を軽減させて仕掛けを繰り出す、所謂モータ駆動による「糸送り」が行われている。
【０００７】
しかし乍ら、上記特開平１１−３３２４３８号公報の電動リールは、図８に示すようにパワーレバー１によって仕掛けの繰出し，停止，巻取りという一連の連続した操作を可能としたことで操作性が向上した反面、クラッチＯＦＦ状態でスプールモータを作動させようとパワーレバー１を点Ｓから点Ｑに操作すると、電動クラッチ機構が自動的にＯＮに復帰してしまい、このため、クラッチＯＦＦ状態でのスプールモータによる「糸送り」が行えない不具合が指摘されていた。
【０００８】
本発明は斯かる実情に鑑み案出されたもので、モータ駆動による「糸送り」を確実に行うことのできる電動リールを提供することを目的とする。
【０００９】
【課題を解決するための手段】
斯かる目的を達成するため、請求項１に係る発明は、リール本体に回転可能に支持したスプールと、リール本体に装着したスプールモータと、リール本体の側板に回転可能に装着され、スプールモータのモータ出力を増減調節するモータ出力調節体と、上記スプールモータまたはリール本体に別途装着したクラッチモータとスプールとの間に装着され、当該スプールモータまたはクラッチモータの駆動で、スプールへのスプールモータの動力伝達をＯＮとするクラッチＯＮ状態とＯＦＦとするクラッチＯＦＦ状態に切り換わって、スプールを巻取り可能状態とスプールフリー状態とに切り換える電動クラッチ機構と、リール本体に装着され、上記モータ出力調節体の回転操作でスプールモータを駆動制御すると共に、リール本体に装着したクラッチ切換操作手段の操作で電動クラッチ機構をクラッチＯＮ／ＯＦＦ状態に切換制御する制御手段とを備えた電動リールに於て、上記制御手段を、スイッチ操作または釣糸繰出し状態検出により実釣モードと糸送りモードとに切換え設定可能とし、上記電動クラッチ機構のクラッチＯＦＦ状態の糸送りモード設定時に、上記クラッチ切換操作手段の操作で電動クラッチ機構がクラッチＯＮ状態に復帰しないように制御手段の切換制御を停止し、スプールモータのモータ出力の駆動制御機能のみが維持されるようにしたことを特徴とする。
【００１０】
（作用）
請求項１に係る発明によれば、電動クラッチ機構のクラッチＯＦＦ状態で制御手段を糸送りモードに設定すると、当該制御手段による電動クラッチ機構の切換制御が停止する。
このため、この糸送りモードでクラッチ切換操作手段を操作しても電動クラッチ機構はクラッチＯＮ状態に切り換わらず、モータ出力調節体のモータ出力調節に応じた糸送りが行われることとなる。
【００１１】
【発明の実施の形態】
以下、本発明の実施形態を図面に基づき詳細に説明する。
図１は請求項１の第一実施形態に係る電動リールの平面図を示し、図中、３はリール本体５のフレーム、７，９は当該フレーム１の左右に取り付く側板で、両側板７，９間にスプール軸（図示せず）を介してスプール１１が回転可能に支持されている。
【００１２】
スプール１１は、スプールモータの駆動力とハンドル１３の巻取り操作で回転して釣糸が巻回されるようになっており、図２及び図３に示すようにスプールモータ１５は、スプール１１前方のフレーム３間に成形されたモータケース１７内に収納されている。
而して、上記スプールモータ１５は、本出願人が先に特願平１１−２８７７５３号及び特願２０００−４９７４５号で開示した電動リールと同様、正，逆両方向へ回転可能に構成されており、図２に示すようにスプールモータ１５の左モータ軸１９に、一方向クラッチ２１を介して複数のギヤ列からなる動力伝達機構２３がスプール軸との間に連結され、また、右モータ軸２５に、一方向クラッチ２７を介して遊星歯車式のクラッチ制御機構（減速機構）２９が連結されている。
【００１３】
そして、スプールモータ１５の右モータ軸２５に装着された一方向クラッチ２７は、スプールモータ１５の正転時にフリー状態となって右モータ軸２５の駆動力をクラッチ制御機構２９に伝達させず、また、スプールモータ１５の逆回転時に駆動力伝達状態となって、スプールモータ１５の駆動力をクラッチ制御機構２９に伝達させるようになっている。そして、後述するように側板９の側部前方に回転可能に装着したパワーレバー（モータ出力調節体）３１を操作すると、リール本体５上部の制御ボックス３３内に収納した図４に示す制御手段（マイクロコンピュータ）３５が、モータ駆動回路３７に指令を送出してスプールモータ１５を逆回転させるようになっており、そのスプールモータ１５の駆動力が、クラッチ制御機構２９を介して側板９内に装着されたクラッチ機構部（図示せず）をクラッチＯＮ／ＯＦＦに切り換えるようになっている。
【００１４】
このように本実施形態に係る電動リール３９は、パワーレバー３１とスプールモータ１５，クラッチ制御機構２９及びクラッチ機構部からなる電動クラッチ機構が装着されている。
一方、スプールモータ１５の左モータ軸１９に装着された一方向クラッチ２１は、スプールモータ１５の正転時に駆動力伝達状態となってスプールモータ１５の駆動力を動力伝達機構２３に伝達し、そして、スプールモータ１５が逆回転したときにフリー状態となって、スプールモータ１５の駆動力を動力伝達機構２３に伝達させないようになっている。
【００１５】
尚、スプールモータ１５の正転とは、動力伝達機構２３を介してスプール１１を釣糸巻取り方向へ回転させる状態をいい、スプールモータ１５の逆回転とは、上述したようにクラッチ制御機構２９を介してクラッチ機構部を作動させる状態をいう。
そして、図示しないがスプール軸は、スプール１１の中央を貫通してその他端側が側板９内に突出している。そして、その突出端に、第１及び第２の遊星歯車機構からなる従来周知の減速機構（図示せず）が設けられており、この減速機構は、スプールモータ１５正転時のスプール軸の回転運動を第１の遊星歯車機構で減速させた後、更に第２の遊星歯車機構で減速させてスプールモータ１５の駆動力をスプール１１に伝達させるように構成されている。
【００１６】
また、図１中、１３はハンドルで、当該ハンドル１３は側板９とフレーム３間に回動可能に挿着したハンドル軸（図示せず）の突出端に連結されており、ハンドル軸にはドライブギヤ（図示せず）が回転可能に取り付けられている。
そして、従来と同様、ドライブギヤとハンドル軸はドラグ装置（図示せず）によって摩擦結合されており、当該ドラグ装置のドラグ力はハンドル軸に装着したドラグノブ４１によって調節できるようになっている。
【００１７】
また、図１に示すようにスプール１１の回転数検出手段としてその一側面にマグネット４３が装着されると共に、当該マグネット４３に対向してフレーム３に一対のリードスイッチ４５が装着されており、図４に示すように各リードスイッチ４５は制御手段３５に接続されている。
そして、制御手段３５のＲＯＭには、特開平５−１０３５６７号公報で開示された電動リールと同様の糸長計測装置が組み込まれており、制御手段３５は、リードスイッチ４５から出力されるスプール１１の正転，逆転の判定信号をＣＰＵに取り込んで釣糸の繰出しか巻取りかを判定すると共に、リードスイッチ４５から取り込むスプール１１の回転パルス信号をアップ・ダウンカウンタでカウントして、この計数値を基にＲＯＭに記憶された糸長計算式をＣＰＵで演算実行するようになっている。そして、この演算結果が、糸長計測値として図１に示す操作パネル４７上の表示器４９に表示駆動回路５１を介して表示されるようになっている。
【００１８】
また、操作パネル４７上には、表示器４９に隣接してモード切換えスイッチ５３とリセットスイッチ５５が装着されており、図５に示すようにモード切換えスイッチ５３の操作で、制御手段３５が「糸長計測モード（実釣モード）」と「糸送りモード」に切り換わり、そして、これに連動して表示器４９に「糸長計測」と「糸送り」の文字が表示されるようになっている。
【００１９】
そして、両モードに於て、制御手段３５は、既述したようにリードスイッチ４５から取り込むスプール１１の回転パルス信号を基に糸長計測を行って、その糸長計測値を表示器４９に表示させるようになっている。
一方、図１乃至図３に示すようにハンドル１３が取り付く側板９の側部前方には、特開平１１−３３２４３８号公報で開示された電動リールと同様、スプールモータ１５のモータ出力を増減調節するパワーレバー３１が所定の範囲に亘って回転可能に取り付けられており、パワーレバー３１の出力増加方向はハンドル１３の巻取り回転方向と同方向とされている。
【００２０】
そして、パワーレバー３１は側板９に内蔵されたポテンショメータ５７に連結され、パワーレバー３１の操作によるポテンショメータ５７の抵抗値の変化が制御手段３５に入力されているが、本実施形態は上述した糸長計測モードに於て、パワーレバー３１に電動クラッチ機構を釣糸巻取り状態と釣糸繰出し状態に切り換えるクラッチ切換操作手段としての機能を兼用させて、単一のパワーレバー３１の操作でモータ出力の調節とクラッチの切換えを可能としている。
【００２１】
即ち、図３に示すようにパワーレバー３１は、点Ａ〜点Ｃの範囲に亘って側板９に回転可能に装着されている。そして、モータ出力を増大させる方向に回転させるその当初の回転範囲（図３中、点Ａ〜点Ｂの範囲）を電動クラッチ機構の切換範囲とすると共に、点Ｂ〜点Ｃの残余の範囲をモータ出力調節範囲としており、点Ａから点Ｂまでの切換範囲に於て、点ＡでクラッチＯＦＦ、そして、点Ａの位置からパワーレバー３１を点Ｂの位置に回転操作すると、その操作信号を入力した制御手段３５はモータ駆動回路３７を介してスプールモータ１５を逆回転させて、スプールモータ１５の駆動力でクラッチ機構部をクラッチ制御機構２９を介してクラッチＯＮに切り換え、また、点Ｂの位置からパワーレバー３１を点Ａの位置に回転操作すると、その操作信号を入力した制御手段３５は、スプールモータ１５の駆動力でクラッチ機構部をクラッチＯＦＦに切り換えるようになっている。
【００２２】
そして、点Ｂ〜点Ｃのモータ出力調節範囲に於て、点Ｂがモータ出力のＯＦＦ状態、点Ｃがスプールモータ１５のモータ出力最大点（モータ出力１００％）に設定されており、制御手段３５は、パワーレバー３１の操作量に応じたパルス信号のデューティ比として、モータ通電電流時間率をスプールモータ１５のスイッチング電源回路中に接続したパワーモスで可変制御して、スプールモータ１５のモータ出力をＯＦＦ状態から最大値（０〜１００％）まで連続的に調節するようになっている。
【００２３】
従って、釣人は糸長計測モードに於て、点Ａから点Ｃ方向へパワーレバー３１を回転操作することで仕掛けの繰出し，停止，巻取りという一連の連続した操作を迅速に行うことが可能となる。
そして、釣人がモード切換えスイッチ５３を操作して制御手段３５を糸送りモードに設定すると、パワーレバー３１のクラッチ切換操作手段としての機能が停止して、モータ出力の調節機能のみが維持されるようになっている。
【００２４】
従って、クラッチＯＦＦの状態でモード切換えスイッチ５３を操作して制御手段３５を糸送りモードに設定すると、点Ａ〜点Ｂの範囲でパワーレバー３１を操作しても電動クラッチ機構は作動せず、点Ｂ〜点Ｃのモータ出力調節範囲内でパワーレバー３１を操作すると、その操作量に応じたモータ出力でスプール１１が釣糸巻取り回転方向と同方向に回転して、スプールフリーに伴う仕掛けの繰出し速度が変化することとなる。
【００２５】
尚、上述の如き構成に代え、制御手段３５を糸送りモードに設定すると、図３に示す点Ａ〜点Ｃの範囲がモータ出力調節範囲となるようにして、電動クラッチ機構が作動しないようにプログラムしてもよい。
また、糸送りモードへの設定は、モード切換えスイッチ５３の操作に代えて、釣糸繰出し状態検出（クラッチ機構のＯＦＦ検出または所定繰出し量の検出）時に自動的に切り換わるように構成してもよい。
【００２６】
更にまた、糸送りモードは、糸長計測装置による所定量の繰出し検出時または外部のスイッチ信号入力等で解除し、電動クラッチ機構のクラッチ機構部がＯＦＦ（釣糸繰出し状態）からＯＮ（釣糸巻取り状態）に切り換わるように構成される。
本実施形態はこのように構成されているから、モード切換えスイッチ５３を操作して制御手段３５を糸長計測モードに設定すると、図３に示す点Ａ〜点Ｂの切換範囲に於けるパワーレバー３１の操作でスプールモータ１５が逆回転して、電動クラッチ機構がクラッチＯＮ／ＯＦＦに切り換わり、また、点Ｂ〜点Ｃのモータ出力調節範囲に於けるパワーレバー３１の操作でスプールモータ１５が正回転して、釣糸がスプール１１に巻き取られ、そして、パワーレバー３１の操作量に応じ、モータ通電電流時間率が可変制御されてスプールモータ１５のモータ出力が調節されることとなる。
【００２７】
従って、点Ａから点Ｃ方向へパワーレバー３１を回転操作することで、仕掛けの繰出し，停止，巻取りという一連の連続した動作が行われることとなる。
そして、上述したようにモード切換えスイッチ５３を操作して制御手段３５を糸送りモードに設定すると、パワーレバー３１のクラッチ切換操作手段としての機能が停止してモータ出力の調節機能のみが維持されるため、点ＡのクラッチＯＦＦ状態からパワーレバー３１をモータ出力増加方向に回転操作することで、点Ｂ〜点Ｃのモータ出力調節範囲内でのパワーレバー３１の操作量に応じたモータ出力でスプール１１が釣糸巻取り回転方向と同方向に回転して、モータ駆動による「糸送り」が行われることとなる。
【００２８】
而して、糸長計測，糸送りの両モードで糸長計測が行われてその糸長計測値が表示器４９に表示されるから、糸送りモードで釣人はその表示に従い仕掛けが所定の水深近傍に達したと判断すれば、モード切換えスイッチ５３の操作で制御手段３５を糸長計測モードに切り換えてパワーレバー３１を点Ａの位置に戻した後、当該パワーレバー３１を点Ｂまで回転操作すれば、スプールモータ１５の駆動で電動クラッチ機構のクラッチ機構部がクラッチＯＦＦからクラッチＯＮに切り換わって仕掛けの繰出しが停止することとなる。
【００２９】
そして、魚の当たりがあれば、ハンドル１３やパワーレバー３１の操作でスプール１１が回転して釣糸がスプール１１に巻回されることとなる。
このように本実施形態によれば、糸長計測モードに於て、図３に示す点Ａから点Ｃ方向へパワーレバー３１を回転操作することで、仕掛けの繰出し，停止，巻取りという一連の連続した操作を迅速に行うことができると共に、モータ駆動による「糸送り」を必要とするときに、モード切換えスイッチ５３の操作で制御手段３５を糸送りモードに切り換えることで、図３に示す点ＡのクラッチＯＦＦ状態にあるパワーレバー３１をモータ出力増加方向に回転操作しても、電動クラッチ機構がクラッチＯＦＦからクラッチＯＮに復帰してしまうことがないように構成したので、パワーレバー３１によるモータ出力調節及びクラッチ切換操作の円滑な操作の維持を図り乍ら、「フカセ釣り」等のモータ駆動による「糸送り」操作が容易に行え、この結果、従来に比し幅広い魚釣り操作が可能となった。
【００３０】
尚、本出願人は、特許第２９７８０２５号公報または特許第２８１３６９０号公報等に於て、図６及び図７に示すようにリール本体５９の側板６１にパワーレバー６３を回転可能に装着して、当該パワーレバー６３の回転操作でスプールモータ（図示せず）のモータ出力を増減調節可能とすると共に、リール本体５９の前方にスプールモータと別個に電動クラッチ機構６５のクラッチモータ６７を装着し、操作パネル６９上にクラッチＯＮ／ＯＦＦスイッチ７１を設けて、当該クラッチＯＮ／ＯＦＦスイッチ７１の操作によるクラッチモータ６７の作動で電動クラッチ機構６５をクラッチＯＮ／ＯＦＦに切り換える電動リール７３を開示したが、本発明は斯かる電動リール７３にも適用することが可能で、図６の二点鎖線で示すように例えばその操作パネル６９上にモード切換えスイッチ７５を装着し、そして、上記実施形態と同様、当該モード切換えスイッチ７５の操作で制御手段（図示せず）を「糸長計測モード」と「糸送りモード」に切換え可能として、モード切換えスイッチ７５の操作で制御手段を糸送りモードに設定することで、クラッチＯＮ／ＯＦＦスイッチ７１のクラッチ切換操作手段としての機能を停止させるように構成してもよい。
【００３１】
而して、この請求項１に係る発明の第二実施形態によれば、クラッチＯＮ／ＯＦＦスイッチ７１によるクラッチＯＦＦへの切換操作で、パワーレバー６３の操作によるモータ駆動の「糸送り」操作が行えることは勿論、モード切換えスイッチ７５による糸送りモードの設定によっても、パワーレバー６３を操作して「糸送り」操作が行える利点を有する。
【００３２】
【発明の効果】
以上述べたように、請求項１に係る電動リールによれば、電動クラッチ機構のクラッチＯＦＦ状態で制御手段を糸送りモードに設定すると、クラッチ切換操作手段を操作しても電動クラッチ機構はクラッチＯＮ状態に切り換わらず、モータ出力調節体のモータ出力調節に応じた「糸送り」を確実に行うことができる。
【図面の簡単な説明】
【図１】請求項１の第一実施形態に係る電動リールの平面図である。
【図２】図１に示す電動リールの要部切欠き平面図である。
【図３】図１に示す電動リールの側面図である。
【図４】図１に示す電動リールの制御ブロック図である。
【図５】モード切換えスイッチの操作による制御手段のモードの切換えを示すフローチャートである。
【図６】請求項１の第二実施形態に係る電動リールの平面図である。
【図７】図６に示す電動リールの要部切欠き側面図である。
【図８】従来の電動リールに装着したパワーレバーの操作範囲の説明図である。
【符号の説明】
５，５９  リール本体
１１  スプール
１５  スプールモータ
２９  クラッチ制御機構
３１，６３  パワーレバー
３５  制御手段
３９，７３  電動リール
４９  表示器
５３，７５  モード切換えスイッチ
６５  電動クラッチ機構
６７  クラッチモータ
７１  クラッチＯＮ／ＯＦＦスイッチ
【図１】
0003872286.tif 000002
【図２】
0003872286.tif 000003
【図３】
0003872286.tif 000004
【図４】
0003872286.tif 000005
【図５】
0003872286.tif 000006
【図６】
0003872286.tif 000007
【図７】
0003872286.tif 000008
【図８】
0003872286.tif 000009